(57)【要約】      （修正有）【課題】小屋裏納戸を通過する通風を天窓から排出させることで、小屋裏納戸の室温の上昇を抑制でき、且つ天窓に対するメンテナンスを簡便に行うことのできる通風建物を提供する。【解決手段】天窓１７と、吹抜け部１５と、２階部分１２から昇降器具１８を介して出入り可能な小屋裏納戸１３とを備え、天窓１７は、傾斜する屋根部１４ｂに設けられおり、２階部分１２には、吹抜け部１５と連通して、勾配天井１９を有する勾配天井居室部２０が設けられ、小屋裏納戸１３は、屋根裏領域に形成されており、天窓１７よりも屋根部１４ｂの傾斜方向下方側に設けた通風仕切り壁２１を介して勾配天井居室部２０に面し、１階部分１１から吹抜け部１５を経て２階部分１２に流れ、勾配天井居室部２０から勾配天井１９に至り、勾配天井１９により誘導されて通風仕切り壁２１を通過し、小屋裏納戸１３を経て天窓１７から排気される空気の流れを生じさせる。【選択図】図１
2015021360.tif 000002
【特許請求の範囲】
【請求項１】
開閉可能な天窓と、下階部分から上階部分の床部を貫通して設けられた吹抜け部と、上階部分の床部から昇降器具を介して出入り可能な小屋裏納戸とを備える通風建物であって、
前記天窓は、傾斜する屋根部に設けられていると共に、上階部分には、前記吹抜け部と隣接して、前記天窓が設けられた傾斜する屋根部に沿った勾配天井を有する勾配天井居室部が、前記吹抜け部と連通して設けられており、
前記小屋裏納戸は、前記天窓が設けられた部分を含む屋根裏領域に形成されていると共に、前記天窓よりも傾斜方向下方側に設けられた通風仕切り壁を介して前記勾配天井居室部に面しており、
下階部分から前記吹抜け部を経て上階部分に流れて、前記勾配天井居室部から前記勾配天井に至り、前記勾配天井により誘導されて前記通風仕切り壁を通過した後に、前記小屋裏納戸を経て前記天窓から排気される空気の流れを生じさせる通風建物。
【請求項２】
前記天窓が設けられた前記傾斜する屋根部は、北側に面した屋根部となっている請求項１記載の通風建物。
【請求項３】
前記小屋裏納戸に設けられた前記通風仕切り壁は、格子スクリーンによって形成されている請求項１又は２記載の通風建物。
【請求項４】
前記小屋裏納戸の床部の少なくとも一部が、上階部分との間で空気を流通させる通気床部となっている請求項１〜３のいずれか１項記載の通風建物。
【発明の詳細な説明】
【技術分野】
【０００１】
本発明は、開閉可能な天窓と、下階部分から上階部分の床部を貫通して設けられた吹抜け部と、上階部分の床部から昇降器具を介して出入り可能な小屋裏納戸とを備える通風建物に関する。
【背景技術】
【０００２】
気温や湿度などの外部の気候要素は季節や時刻とともに大きく変動するものであり、外部の気候要素のままでは住宅の屋内環境は快適とはいえず、何等かの対策が必要である。電気による冷暖房設備のなかった時代の日本の伝統的な民家では、特に夏場における過し易さに配慮して、日射を遮る厚い屋根や、深い軒や庇を設けると共に、開口を大きく形成して容易に通風が得られるようにするといった工夫がなされていた。
【０００３】
一方、近年の住宅では、充実した冷暖房設備によって、夏は涼しく、冬は暖かい快適な屋内環境が得られるようになっており、さらに住宅の高断熱化や高気密化を図ることによって、エネルギー消費を削減する工夫もなされている。
【０００４】
また、近年の住宅では、高断熱化や高気密化を図った場合でも、冷暖房設備の稼動によるエネルギー消費は年々増加の傾向にあり、地球温暖化などの環境問題を引き起こす要因の一つにもなっている。このようなことから、高断熱化や高気密化が図られた住宅等の建物においても、風による自然の恵みを利用して、より一層の省エネルギー化に寄与できるようにする工夫がなされている（例えば、特許文献１、特許文献２、特許文献３参照）。これらの特許文献に記載の建物では、上階部分の屋根の上方に、排気塔や通風採光塔を設けることで、上昇気流による縦方向の通風を促進するとともに、人体や家電製品、照明機器等の建物の内部の熱源により加温されて天井付近に溜まりやすくなった温かい空気を、通風によって排気塔や通風採光塔から効率良く屋外に排出することを可能にして、重力換気による排熱機能を発揮させることで、建物の内部の温度の上昇を効果的に抑制できるようになっている。
【先行技術文献】
【特許文献】
【０００５】
【特許文献１】特開２００７−１２００６３号公報
【特許文献２】特開２００７−１３２１５４号公報
【特許文献３】特開２００９−１９７４６０号公報
【発明の概要】
【発明が解決しようとする課題】
【０００６】
しかしながら、特許文献１や特許文献３の建物では、排気塔や通風採光塔の下方に適当な足場がないため、開閉可能な上端部分の通気口や採光窓に対する開閉操作及びメンテナンスを、手作業によって簡便に行うことが難しく、機械や動力に頼ることになって不便である。また、特許文献２の建物では、屋根裏に設けた０．５層分の高さのロフトを足場として、排気塔の上端部分の通気口に対する開閉操作及びメンテナンスを、手作業によって簡便に行うことが可能であるが、ロフトは、居室部に面して設ける必要があると共に、昇降のための高さの確保が必要であり、また人の出入口と風の出入口とを同一箇所に設けることが合理的、且つ実用的であることから、建物のプランニングに多くの制約が課せられることになる。
【０００７】
一方、屋根裏部分に設けられる０．５層分の高さの収納庫として、小屋裏納戸が知られている。小屋裏納戸は、使用時にのみ設置される梯子等の昇降器具を介して出入りするものなので、居室部に面して設ける必要がなく、また人の出入口と風の出入口とを分離して設けることができるので、フレキシブルな建物のプランニングを行うことが可能になるが、小屋裏納戸は室温の上昇が激しくなるため、室温の上昇に影響されない物を選択して収納する必要を生じて不便である。
【０００８】
本発明は、小屋裏納戸を通過する通風を積極的に生じさせて、屋内の温かい空気を屋根部に設けた天窓から効率良く屋外に排出することができると共に、小屋裏納戸の室温の上昇を効果的に抑制することができ、且つ天窓に対する開閉操作やメンテナンスを、手作業によって簡便に行うことのできる通風建物を提供することを目的とする。
【課題を解決するための手段】
【０００９】
本発明は、開閉可能な天窓と、下階部分から上階部分の床部を貫通して設けられた吹抜け部と、上階部分の床部から昇降器具を介して出入り可能な小屋裏納戸とを備える通風建物であって、前記天窓は、傾斜する屋根部に設けられていると共に、上階部分には、前記吹抜け部と隣接して、前記天窓が設けられた傾斜する屋根部に沿った勾配天井を有する勾配天井居室部が、前記吹抜け部と連通して設けられており、前記小屋裏納戸は、前記天窓が設けられた部分を含む屋根裏領域に形成されていると共に、前記天窓よりも傾斜方向下方側に設けられた通風仕切り壁を介して前記勾配天井居室部に面しており、下階部分から前記吹抜け部を経て上階部分に流れて、前記勾配天井居室部から前記勾配天井に至り、前記勾配天井により誘導されて前記通風仕切り壁を通過した後に、前記小屋裏納戸を経て前記天窓から排気される空気の流れを生じさせる通風建物を提供することにより、上記目的を達成したものである。
【００１０】
そして、本発明の通風建物は、前記天窓が設けられた前記傾斜する屋根部が、北側に面した屋根部となっていることが好ましい。
【００１１】
また、本発明の通風建物は、前記小屋裏納戸に設けられた前記通風仕切り壁が、格子スクリーンによって形成されていることが好ましい。
【００１２】
さらに、本発明の通風建物は、前記小屋裏納戸の床部の少なくとも一部が、上階部分との間で空気を流通させる通気床部となっていることが好ましい。
【００１３】
そして、本発明の通風建物によれば、開閉可能な天窓と、下階部分から上階部分の床部を貫通して設けられた吹抜け部と、上階部分の床部から昇降器具を介して出入り可能な小屋裏納戸とを備える通風建物であって、天窓は、傾斜する屋根部に設けられていると共に、上階部分には、吹抜け部と隣接して、天窓が設けられた屋根部に沿った勾配天井を有する勾配天井居室部が、吹抜け部と連通して設けられている。また、小屋裏納戸は、天窓が設けられた部分を含む屋根裏領域に形成されていると共に、天窓よりも傾斜方向下方側に設けられた通風仕切り壁を介して勾配天井居室部に面している。
【００１４】
したがって、本発明の通風建物によれば、風は下から上の方へ流れ、空気は暖かい方へ移動するといった、重力換気式の通風作用によって、屋内の温かくなった空気による、建物の下階部分から、吹抜け部を経て上階部分に流れ、さらに吹抜け部と隣接する勾配天井居室部を介して勾配天井に至り、勾配天井の傾斜によって横方向に誘導されつつ通風仕切り壁を通過することで、小屋裏納戸に流入した後に、小屋裏納戸の上方の屋根部に設けられた天窓から排気される空気の流れを、容易に生じさせることができるので、例えば春季や秋季において、エアコンを使用することなく、自然の涼風や温もりを感じながら快適に暮らすことのできる、省エネ効果にも優れた優しい屋内環境を、効果的に形成することが可能になる。
【００１５】
また、小屋裏納戸を通過させて天窓から排気される空気の流れにより、小屋裏納戸に温かい空気が長時間滞留するのを効果的に回避させて、小屋裏納戸の室温の上昇を抑制することで、小屋裏納戸に収納する物の選択幅を広げることが可能になると共に、小屋裏納戸の床部を足場として、天窓の開閉操作やメンテナンスを、手作業によって簡便に行うことが可能になる。
【００１６】
さらに、屋根裏部分に小屋裏納戸を設けたことで、屋根裏部分にロフトを設けた場合と比較して、人の出入口と風の出入口とを分離して設けることができるので、フレキシブルな建物のプランニングを行うことが可能になると共に、利便性に富んだ０．５層分の高さの収納庫を、屋内に効率良く配置して使用することが可能になる。
【００１７】
また、本発明の通風建物によれば、天窓が設けられた傾斜する屋根部を、北側に面した屋根部とすることにより、特に夏季において、天窓から差し込む太陽光によって小屋裏納戸や勾配天井居室部の温度が過度に上昇するのを回避できると共に、太陽光を、通風仕切り壁を通過させて勾配天井居室部の奥深くまで効率良く差し込ませることが可能になる。
【００１８】
さらに、本発明の通風建物によれば、小屋裏納戸に設けられた通風仕切り壁を、格子スクリーンによって形成することにより、勾配天井居室部から見上げた際に、格子スクリーンにより目隠しされた優れた美観が得られると共に、格子の隙間を介して、十分な通風や採光を得ることが可能になる。
【００１９】
さらにまた、本発明の通風建物によれば、小屋裏納戸の床部の少なくとも一部を、上階部分との間で空気を流通させる通気床部とすることにより、当該通気床部を介して上階部分から小屋裏納戸に至り、さらに屋根部に設けられた天窓から排気される空気の流れを生じさせて、自然の涼風や温もりを感じながら快適に暮らすことのできる優しい屋内環境を、さらに効果的に形成することが可能になる。
【発明の効果】
【００２０】
本発明の通風建物によれば、小屋裏納戸を通過する通風を積極的に生じさせて、屋内の温かい空気を屋根部に設けた天窓から効率良く屋外に排出することができると共に、小屋裏納戸の室温の上昇を効果的に抑制することができ、且つ天窓に対する開閉操作やメンテナンスを、手作業によって簡便に行うことができる。
【図面の簡単な説明】
【００２１】
【図１】本発明の好ましい一実施形態に係る通風建物の要部を説明する、図２、図３、図４のＡ−Ａに沿った断面図である。
【図２】本発明の好ましい一実施形態に係る通風建物の構成を説明する、図１のＢ−Ｂに沿った断面による１階部分の間取り図である。
【図３】本発明の好ましい一実施形態に係る通風建物の構成を説明する、図１のＣ−Ｃに沿った断面による２階部分の間取り図である。
【図４】本発明の好ましい一実施形態に係る通風建物の構成を説明する、図１のＤ−Ｄに沿った断面による小屋裏納戸部分の間取り図である。
【発明を実施するための形態】
【００２２】
本発明の好ましい一実施形態に係る通風建物１０は、図１〜図４に示すように、例えば寄棟屋根１４の屋根裏部分に小屋裏納戸１３を備える２階建ての木造住宅建築物であって、寄棟屋根１４の主棟１４ａを略東西方向に延設させた状態で設けられている。本実施形態の通風建物１０は、建物の北側部分に、１階部分（下階部分）１１の床部１１ａから２階部分（上階部分）１２の天井部１２ａに至る空間となっている吹抜け部１５及び階段部１６が設けられており、これらによって、風は下から上の方へ流れ、空気は暖かい方へ移動するといった重力換気式の通風作用を利用して、屋内の温かくなった空気を１階部分１１から２階部分１２に上昇させると共に、上昇させた空気を、北側に面した屋根部１４ｂに設けられた天窓１７に導いて排出させることで、スムーズな空気の流れを生じさせて、例えば春季や秋季において、エアコンを使用することなく、自然の涼風や温もりを感じながら快適に暮らすことのできる、優しい屋内環境を形成することを可能にする機能を備えている。
【００２３】
そして、本実施形態の通風建物１０は、開閉可能な天窓１７と、１階部分１１から２階部分１２の床部１２ｂを貫通して設けられた吹抜け部１５と、２階部分１２の床部１２ｂから昇降器具１８を介して出入り可能な小屋裏納戸１３とを備える例えば２階建ての住宅建築物であって、天窓１７は、傾斜する北側の屋根部１４ｂに設けられていると共に、２階部分１２には、吹抜け部１５と隣接して、天窓１７が設けられた傾斜する屋根部１４ｂに沿った勾配天井１９を有する勾配天井居室部２０が、吹抜け部１５と連通して設けられている。小屋裏納戸１３は、天窓１７が設けられた部分を含む寄棟屋根１４の屋根裏領域に形成されていると共に、天窓１７よりも屋根部１４ｂの傾斜方向下方側に設けられた通風仕切り壁２１を介して勾配天井居室部２０に面しており、１階部分１１から吹抜け部１５を経て２階部分１２に流れて、勾配天井居室部２０から勾配天井１９に至り、勾配天井１９により横方向に誘導されて通風仕切り壁２１を通過した後に、小屋裏納戸１１を経て天窓１７から排気される空気の流れを生じさせるようになっている。
【００２４】
本実施形態の通風建物１０の１階部分１１の間取りとしては、図２に示すように、建物１０の北西の角部に位置して、玄関２２が玄関ポーチ２３から出入り可能に設けられている。玄関２２の南側には、玄関ホール２４が設けられており、玄関２２及び玄関ホール２４の西側には、吹抜け部１５、階段部１６、及び通路部２５を挟んで、リビングダイニング２６が設けられている。リビングダイニング２６の東側には、キッチン２７が設けられており、キッチン２７の東側は、トイレ２８ａ、洗面室２８ｂ、浴室２８ｃ等が設けられた水回り領域２８となっている。リビングダイニング２６、キッチン２７、及び水回り領域２８の南側には、ウッドデッキ２９が設けられている。階段部１６の南側の通路部２５のさらに南側には、リビングダイニング２６の西側に隣接して、和室３０が設けられており、和室３０のさらに南側には、縁側３１が設けられている。
【００２５】
階段下にクローク１６ａ等が設けられた折返し階段となっている階段部１６を介して、１階部分１２から昇降する通風建物１０の２階部分１２の間取りとしては、図３に示すように、吹抜け部１５及び階段部１６の東側に隣接して、２階ホール２０が設けられている。この２階ホール２０は、これの北側領域の天井部が、傾斜する北側の屋根部１４ｂに沿った勾配天井１９となっていると共に、ソファやテーブル等が設置されていて、勾配天井居室部２０を形成している。２階ホール２０の東側には、北側部分にウォークインクローゼット３２ａや書斎３２ｂを備える寝室３２が設けられており、寝室３２の南側には、第１バルコニー３３が設けられている。２階ホール２０の南側には、第１洋室３４が、第１バルコニー３３の西側に配置されて設けられており、第１洋室３４の西側には、第２洋室３５が、第１洋室３４と並ぶように隣接して設けられている。第１洋室３４及び第２洋室３５の南側には、第２バルコニー３６が設けられている。
【００２６】
２階ホール２０の南側端部領域から西側に折れ曲がるように延設して、階段部１６と第１洋室３４や第２洋室３５との間に、通路部３７が設けられており、通路部３７の西側の突当り部分には、トイレ付洗面室３８が設けられている。トイレ付洗面室３８の北側には、吹抜け部１５及び階段部１６の西側に隣接すると共に、建物１０の北西の角部に位置して、第３洋室３９が、通路部３７から出入り可能に設けられている。
【００２７】
２階部分においては、吹抜け部１５は、吹抜け部袖壁１５ａによって仕切られた状態で設けられており、階段部１６もまた、昇降口部分を除いて、階段部袖壁１６ａによって仕切られた状態で設けられている。吹抜け部１５及び階段部１６の天井高さは、勾配天井居室部２０の勾配天井１９を除いた２階部分１２の天井部１２ａと同様に、２層分の天井高さとなっている。通路部３７の西側端部領域の天井部１２ａには、昇降器具１８として例えば伸縮式の梯子を上面側に取り付けた開閉扉４０が設けられている。この開閉扉４０を下方に開放して、昇降器具１８を通路部３７の床部１２ｂまで降ろすことにより、２階部分１２の床部１２ｂから屋根裏部分の小屋裏納戸１３に、人が昇降できるようになっている。
【００２８】
昇降器具１８を介して２階部分１２の床部１２ｂから昇降可能な小屋裏納戸１３は、図１及び図４に示すように、０．５層分の高さを有する例えば１０畳程度の広さの収納庫として、寄棟屋根１４の主棟１４ａを含む中央領域の屋根裏部分に設けられると共に、２階部分１２における、勾配天井１９の部分を除く２階ホール２０の領域と、階段部１６の略全域と、通路部３７の全域とに跨る領域の直上部分に配置されて設けられている。また、小屋裏納戸１３には、主棟１４ａを挟んだ北側の傾斜する屋根部１４ｂに、開閉可能な天窓１７が設けられていると共に、天窓１７よりも屋根部１４ｂの傾斜方向下方側に、勾配天井居室部２０の勾配天井１９が設けられた部分に面して、好ましくは格子スクリーンによって形成された通風仕切り壁２１が設けられている。さらに、本実施形態では、小屋裏納戸１３の床部１３ａの一部が、２階部分との間で空気を流通させる、好ましくは格子スクリーンからなる通気床部４１となっている。
【００２９】
そして、上述の構成を備える本実施形態に通風建物１０によれば、小屋裏納戸１３を通過する通風を積極的に生じさせて、屋内の温かい空気を屋根部１４ｂに設けた天窓１７から効率良く屋外に排出することが可能になると共に、小屋裏納戸１３の室温の上昇を効果的に抑制することが可能になり、且つ天窓１７に対する開閉操作やメンテナンスを、手作業によって簡便に行うことが可能になる。
【００３０】
すなわち、本実施形態の通風建物１０によれば、開閉可能な天窓１７と、１階部分１１から２階部分１２の床部１２ｂを貫通して設けられた吹抜け部１５と、２階部分１２の床部１２ｂから昇降器具１８を介して出入り可能な小屋裏納戸１３とを備えており、天窓１７は、傾斜する屋根部１４ｂに設けられていると共に、２階部分１２には、吹抜け部１５と隣接して、天窓１７が設けられた屋根部１４ｂに沿った勾配天井１９を有する勾配天井居室部２０が、吹抜け部１５と連通して設けられている。また、小屋裏納戸１３は、天窓１７が設けられた部分を含む屋根裏領域に形成されていると共に、天窓１７よりも傾斜方向下方側に設けられた通風仕切り壁２１を介して勾配天井居室部２０に面している。
【００３１】
したがって、本実施形態の通風建物１０によれば、風は下から上の方へ流れ、空気は暖かい方へ移動するといった、重力換気式の通風作用によって、屋内の温かくなった空気による、建物１０の下階部分１１から、吹抜け部１５を経て上階部分１２に流れ、さらに吹抜け部１５と隣接する勾配天井居室部２０を介して勾配天井１９に至り、勾配天井１９の傾斜によって横方向に誘導されつつ通風仕切り壁２１を通過することで、小屋裏納戸１３に流入した後に、小屋裏納戸１３の上方の屋根部１２ｂに設けられた天窓１７から排気される空気の流れを、容易に生じさせることができるので、例えば春季や秋季において、エアコンを使用することなく、自然の涼風や温もりを感じながら快適に暮らすことのできる、省エネ効果にも優れた優しい屋内環境を、効果的に形成することが可能になる。
【００３２】
また、小屋裏納戸１３を通過させて天窓１７から排気される空気の流れにより、小屋裏納戸１３に温かい空気が長時間滞留するのを効果的に回避させて、小屋裏納戸１３の室温の上昇を抑制することで、小屋裏納戸１３に収納する物の選択幅を広げることが可能になると共に、小屋裏納戸１３の床部１３ｂを足場として、天窓１７の開閉操作やメンテナンスを、手作業によって簡便に行うことが可能になる。
【００３３】
さらに、屋根裏部分に小屋裏納戸１３を設けたことで、屋根裏部分にロフトを設けた場合と比較して、人の出入口と風の出入口とを分離して設けることができるので、フレキシブルな建物のプランニングを行うことが可能になると共に、利便性に富んだ０．５層分の高さの収納庫を、屋内に効率良く配置して使用することが可能になる。
【００３４】
また、本実施形態の通風建物１０によれば、天窓１７が設けられた傾斜する屋根部１４ｂが、北側に面した屋根部となっているので、特に夏季において、天窓１７から差し込む太陽光によって小屋裏納戸１３や勾配天井居室部２０の温度が過度に上昇するのを回避できると共に、太陽光を、通風仕切り壁２１を通過させて勾配天井居室部２０の奥深くまで効率良く差し込ませることが可能になる。
【００３５】
さらに、本実施形態の通風建物１０によれば、小屋裏納戸１３に設けられた通風仕切り壁２１を、格子スクリーンによって形成したので、勾配天井居室部２０から見上げた際に、格子スクリーンにより目隠しされた優れた美観が得られると共に、格子の隙間を介して、十分な通風や採光を得ることが可能になる。
【００３６】
さらにまた、本実施形態の通風建物１０によれば、小屋裏納戸１３の床部１３ｂの少なくとも一部が、上階部分１２との間で空気を流通させる通気床部４１となっているので、当該通気床部４１を介して上階部分１２から小屋裏納戸１３に至り、さらに屋根部１４ｂに設けられた天窓１７から排気される空気の流れを生じさせて、自然の涼風や温もりを感じながら快適に暮らすことのできる優しい屋内環境を、さらに効果的に形成することが可能になる。
【００３７】
なお、本発明は上記実施形態に限定されることなく種々の変更が可能である。例えば、天窓が設けられた傾斜する屋根部は、北側に面した屋根部である必要は必ずしも無く、その他の方向に面した屋根部であっても良い。また、本発明は、木造の住宅建築物に限定されることなく、その他の種々の建物に適用することができ、２階建ての建物に限定されることなく、１階部分を２階部分以上の部分に置き換えて、例えば３階建て以上の建物に適用することもできる。
【符号の説明】
【００３８】
１０  通風建物
１１  １階部分（下階部分）
１１ａ  床部
１２  ２階部分（上階部分）
１２ａ  天井部
１２ｂ  床部
１３  小屋裏納戸
１４  寄棟屋根
１４ａ  主棟
１４ｂ  北側に面した傾斜する屋根部
１５  吹抜け部
１６  階段部
１７  天窓
１８  昇降器具（梯子）
１９  勾配天井
２０  勾配天井居室部
２１  通風仕切り壁（格子スクリーン）
４０  開閉扉
４１  通気床部
【図１】
2015021360.tif 000003
【図２】
2015021360.tif 000004
【図３】
2015021360.tif 000005
【図４】
2015021360.tif 000006